(57)【要約】【課題】フィルムホルダーをロール状フィルムの中心孔に確実に固定する。【解決手段】把持杆（１）の内側端には略円筒状胴部（３）を回転不能に外設し、該略円筒状胴部には第一押圧部（７）を形成し、該第一押圧部は弾性を備えると共に該略円筒状胴部の内外方向に傾動自在となし、把持杆の外側端（１ａ）には回転杆（１１）を回転自在に備えさせ、把持杆と略円筒状胴部との間には作用枠（１３）を該把持杆の軸方向に移動自在に配設し、作用枠には第二押圧部（２１）を形成し、該第二押圧部は弾性を備えると共に作用枠の内外方向に傾動自在となし、作用枠を内側端方向に動かしたときに該作用枠の第二押圧部が略円筒状胴部の第一押圧部を外方に押圧して傾動させ、作用枠の第二押圧部を内方に傾動させた状態で該作用枠を外側端方向に動かしたときに略円筒状胴部の第一押圧部が元の位置に戻る。【選択図】　図１
2004083178.tif 000002
【特許請求の範囲】
【請求項１】
把持杆の内側端には略円筒状胴部を該把持杆に対し回転不能に外設し、該略円筒状胴部には該略円筒状胴部の内側端より切り込みを設けることにより第一押圧部を形成し、該第一押圧部は該第一押圧部の外側端にて略円筒状胴部に連続し、該第一押圧部は弾性を備えると共に該略円筒状胴部の内外方向に傾動自在となし、把持杆の外側端には回転杆を該把持杆に対し回転自在に備えさせ、把持杆と略円筒状胴部との間には作用枠を該把持杆の軸方向に移動自在に配設し、作用枠には該作用枠の外側端より切り込みを設けることにより第二押圧部を形成し、該第二押圧部は該第二押圧部の内側端にて作用枠に連続し、該第二押圧部は弾性を備えると共に作用枠の内外方向に傾動自在となし、作用枠を内側端方向に動かしたときに該作用枠の第二押圧部が略円筒状胴部の第一押圧部を外方に押圧して傾動させ、作用枠の第二押圧部を内方に傾動させた状態で該作用枠を外側端方向に動かしたときに略円筒状胴部の第一押圧部が作用枠の第二押圧部による押圧から解放されて元の位置に戻るようにしたことを特徴とするフィルムホルダー。
【請求項２】
前記略円筒状胴部には前記第一押圧部を相対向する位置に一対形成し、前記作用枠には該第一押圧部に対応させて前記第二押圧部を一対形成したことを特徴とする請求項１のフィルムホルダー。
【請求項３】
前記略円筒状胴部の第一押圧部の内面には該略円筒状胴部の内方に突出する傾斜部を形成し、前記作用枠を内側端方向に動かしたときに該作用枠の第二押圧部が該傾斜部を外方に押圧することにより、該略円筒状胴部の第一押圧部が徐々に外方に傾動するようにしたことを特徴とする請求項１又は２のフィルムホルダー。
【請求項４】
前記作用枠の第二押圧部の外面には複数の突条を形成し、各突条は該第二押圧部の弾性により前記略円筒状胴部の外側端に係止することにより該作用枠を該略円筒状胴部に固定するようにしたことを特徴とする請求項３のフィルムホルダー。
【請求項５】
前記略円筒状胴部の第一押圧部の外面には突起を形成したことを特徴とする請求項１〜４のいずれかのフィルムホルダー。
【発明の詳細な説明】
【０００１】
【発明の属する技術分野】
本発明は、フィルムホルダーに関するものであり、更に詳しくは、ストレッチフィルム等のロール状フィルムを回転自在に保持するためのフィルムホルダーに係るものである。
【０００２】
種々の商品の集積物の荷締を行い、或いはその荷崩れ、荷痛み、荷汚れ等を防止するために、該集積物はしばしばストレッチフィルム等のフィルムにより梱包される。このような梱包作業を行う際には、ロール状フィルムの両端にフィルムホルダーを取り付け、これらのフィルムホルダーを作業員が両手で把持し、該ロール状フィルムを例えば上下方向に向けた状態で作業員が該集積物の周囲を移動することによりロール状フィルムからフィルムを繰り出して該集積物を梱包するのである。
【０００３】
【従来の技術】
このようなフィルムホルダーとしては、特許第２９５７３５８号公報に示すように、ロール状フィルムの紙管内に挿入される円筒部と該円筒部に回転自在に挿入される把持部材とよりなるものが知られている。作業員は該把持部材を手で把持する。
【０００４】
【発明が解決しようとする課題】
しかるに、上記従来のフィルムホルダーにおいては、次のような問題がある。
【０００５】
（イ）ロール状フィルムには中心に紙管を備えていないものがある（図８参照）。このような紙管を備えていないロール状フィルムの中心孔に上記従来のフィルムホルダーの円筒部を挿入したときには、該中心孔は拡径する傾向があり、該円筒部を該中心孔内に固定することができないおそれがある。特に、紙管を備えていないロール状フィルムの残量が少なくなったときには、該ロール状フィルムの中心孔は容易に拡径し、フィルムホルダーの円筒部が該中心孔内で回転し、更には該円筒部が該中心孔から脱出するおそれが大きい。
【０００６】
（ロ）上記従来のフィルムホルダーにおいては、ロール状フィルムの紙管内に挿入される円筒部と該円筒部に挿入される把持部材とは相互に常に回転自在である。換言すれば、該把持部材は円筒部に対し常に回転自在であり、該円筒部に対するロック手段を備えていない。従って、商品の集積物に対するフィルムの巻き付けに緊張力を与えるためには、作業者がロール状フィルム自体を把持して該ロール状フィルムの回転を阻止した状態で該ロール状フィルムを引っ張らなければならないという不便がある。
【０００７】
本発明は、上記従来のフィルムホルダーにおける上述の如き問題を解決しようとしてなされたものである。
【０００８】
【課題を解決するための手段】
上記課題を解決するために、本発明は下記のフィルムホルダーを提供するものである。
【０００９】
（１）把持杆の内側端には略円筒状胴部を該把持杆に対し回転不能に外設し、該略円筒状胴部には該略円筒状胴部の内側端より切り込みを設けることにより第一押圧部を形成し、該第一押圧部は該第一押圧部の外側端にて略円筒状胴部に連続し、該第一押圧部は弾性を備えると共に該略円筒状胴部の内外方向に傾動自在となし、把持杆の外側端には回転杆を該把持杆に対し回転自在に備えさせ、把持杆と略円筒状胴部との間には作用枠を該把持杆の軸方向に移動自在に配設し、作用枠には該作用枠の外側端より切り込みを設けることにより第二押圧部を形成し、該第二押圧部は該第二押圧部の内側端にて作用枠に連続し、該第二押圧部は弾性を備えると共に作用枠の内外方向に傾動自在となし、作用枠を内側端方向に動かしたときに該作用枠の第二押圧部が略円筒状胴部の第一押圧部を外方に押圧して傾動させ、作用枠の第二押圧部を内方に傾動させた状態で該作用枠を外側端方向に動かしたときに略円筒状胴部の第一押圧部が作用枠の第二押圧部による押圧から解放されて元の位置に戻るようにしたことを特徴とするフィルムホルダー（請求項１）。
【００１０】
（２）前記略円筒状胴部には前記第一押圧部を相対向する位置に一対形成し、前記作用枠には該第一押圧部に対応させて前記第二押圧部を一対形成する（請求項２）。
【００１１】
（３）　前記略円筒状胴部の第一押圧部の内面には該略円筒状胴部の内方に突出する傾斜部を形成し、前記作用枠を内側端方向に動かしたときに該作用枠の第二押圧部が該傾斜部を外方に押圧することにより、該略円筒状胴部の第一押圧部が徐々に外方に傾動するようになす（請求項３）。
【００１２】
（４）前記作用枠の第二押圧部の外面には複数の突条を形成し、各突条は該第二押圧部の弾性により前記略円筒状胴部の外側端に係止することにより該作用枠を該略円筒状胴部に固定する（請求項４）。
【００１３】
（５）　前記略円筒状胴部の第一押圧部の外面には突起を形成する（請求項５）。
【００１４】
特許請求の範囲を含む本明細書において、「内側端」とはロール状フィルムの紙管又は中心孔の奥側方向の端をいうものとし、「外側端」とは内側端の反対方向の端をいうものとする。
【００１５】
【作用】
［請求項１のフィルムホルダー］
本発明によるフィルムホルダーはロール状フィルムの紙管又は中心孔の両端に取り付けて使用するのであるが、図６に示す如く、本発明によるフィルムホルダーをロール状フィルムの紙管又は中心孔の一端に取り付け、別のフィルムホルダーを該紙管又は中心孔の他端に取り付けて使用しても差し支えない。
【００１６】
上記いずれの場合にも、これらのフィルムホルダーを作業員が両手で把持し、該ロール状フィルムを例えば上下方向に向けた状態で作業員が該集積物の周囲を移動することによりロール状フィルムからフィルムを繰り出して該集積物を梱包するのである。
【００１７】
本発明によるフィルムホルダーをロール状フィルムの紙管又は中心孔の端に取り付ける際には、把持杆を手に持って略円筒状胴部を該紙管又は中心孔の端に挿入し、作用枠を内側端方向に押し込めばよい。しかるときは、該作用枠の第二押圧部が略円筒状胴部の第一押圧部を外方に押圧して傾動させる。従って、該第一押圧部はロール状フィルムの紙管又は中心孔の内面に圧接し、略円筒状胴部を該紙管又は中心孔の内面に固定する。
【００１８】
この状態で、把持杆の外側端に回転自在に備えさせた回転杆を手で把持し、作業員が移動したときには、把持杆及び略円筒状胴部と共にロール状フィルムが回転し、該ロール状フィルムからフィルムが繰り出される。
【００１９】
商品の集積物に対するフィルムの巻き付けに緊張力を与える際には、作業員は回転杆に代えて把持杆を把持した状態でロール状フィルムを引っ張るのである。しかるときは、略円筒状胴部はロール状フィルムの紙管又は中心孔の内面に固定されており、該略円筒状胴部は把持杆に対し回転不能であるから、把持杆を引っ張ってもロール状フィルムは回転しない。
【００２０】
本発明によるフィルムホルダーをロール状フィルムの紙管又は中心孔の端から取り外す際には、作用枠の第二押圧部をその弾性に抗して内方に傾動させた状態で該作用枠を外側端方向に動かすのである。しかるときは、略円筒状胴部の第一押圧部が作用枠の第二押圧部による押圧から解放されて元の位置に戻るため、該第一押圧部はロール状フィルムの紙管又は中心孔の内面から離れ、略円筒状胴部は該紙管又は中心孔から容易に抜け出す。
【００２１】
［請求項２のフィルムホルダー］
略円筒状胴部には第一押圧部を相対向する位置に一対形成しているため、該第一押圧部はロール状フィルムの紙管又は中心孔の内面に好ましく圧接し、略円筒状胴部を該紙管又は中心孔の内面に好ましく固定する。また、作用枠には該第一押圧部に対応させて第二押圧部を一対形成しているため、フィルムホルダーをロール状フィルムの紙管又は中心孔の端から取り外す際に、これら一対の第二押圧部を例えば親指と人差し指又は中指とにより摘むことにより極めて容易に内方に傾動させることができる。
【００２２】
［請求項３のフィルムホルダー］
作用枠を内側端方向に動かしたときに該作用枠の第二押圧部が略円筒状胴部における第一押圧部内面の傾斜部を外方に押圧することにより、該略円筒状胴部の第一押圧部が徐々に外方に傾動するようにしたため、紙管を備えていないロール状フィルムの残量が少なくなり、該ロール状フィルムの中心孔が拡径したような場合でも、作用枠を内側端方向に動かすことにより略円筒状胴部を確実に該ロール状フィルムの中心孔に固定することができる。
【００２３】
［請求項４のフィルムホルダー］
前述の如く、作用枠を内側端方向に動かしたときには略円筒状胴部の第一押圧部が徐々に外方に傾動するのであるが、作用枠の第二押圧部の外面には複数の突条を形成し、各突条は該第二押圧部の弾性により略円筒状胴部の外側端に係止することにより該作用枠を該略円筒状胴部に固定するようにしたため、作用枠を該略円筒状胴部に対し所望の位置に固定することができる。換言すれば、ロール状フィルムの中心孔内面に対する略円筒状胴部の第一押圧部による押圧を所望の状態に固定することができる。
【００２４】
［請求項５のフィルムホルダー］
略円筒状胴部の第一押圧部の外面に形成された突起は該第一押圧部がロール状フィルムの紙管又は中心孔の内面に対して滑ることを防止する。
【００２５】
【発明の実施の形態】
次に、本発明の実施の形態を添付図面に従って説明する。
【００２６】
符号１に示すものは把持杆である。把持杆１の内側端には略円筒状胴部３を該把持杆１に対し回転不能に外設する。図示の事例においては、把持杆１と略円筒状胴部３とは合成樹脂により一体的に形成されている。
【００２７】
略円筒状胴部３には該略円筒状胴部３の内側端（図１、図２における下端）３ａより切り込み５、５を設けることにより第一押圧部７を形成する。即ち、第一押圧部７は該第一押圧部７の外側端（図１、図２における上端）７ａにて略円筒状胴部３に連続する。
【００２８】
第一押圧部７は弾性を備えると共に略円筒状胴部３の内外方向（矢印９参照）に傾動自在となす。
【００２９】
把持杆１の外側端１ａには回転杆１１を該把持杆１に対し回転自在に備えさせる。即ち、一例として図４、図５に示すように、把持杆１を中空円筒体とし、該把持杆１内に回転杆１１を回転自在に嵌合する。
【００３０】
把持杆１と略円筒状胴部３との間には作用枠１３を該把持杆１の軸方向（図１〜図５における上下方向）に移動自在に配設する。図示の事例においては、作用枠１３は把持杆１と略円筒状胴部３との連結部１５に形成された挿通孔１７に挿通されている。なお、連結部１５はロール状フィルムの側縁３１ａを抑える突縁１５ａを備えている（図４、図５参照）。
【００３１】
作用枠１３には該作用枠１３の外側端（図３における上側端）１３ａより切り込み１９、１９を設けることにより第二押圧部２１を形成する。
【００３２】
第二押圧部２１は該第二押圧部２１の内側端２１ａにて作用枠１３に連続する。
【００３３】
第二押圧部２１は弾性を備えると共に作用枠１３の内外方向（矢印２３参照）に傾動自在となす。
【００３４】
作用枠１３を内側端方向（図１〜図５における下方）に動かしたときに該作用枠１３の第二押圧部２１が略円筒状胴部３の第一押圧部７を外方に押圧して傾動させ、作用枠１３の第二押圧部２１を内方に傾動させた状態で該作用枠１３を外側端方向（図１〜図５における上方）に動かしたときに略円筒状胴部３の第一押圧部７が作用枠１３の第二押圧部２１による押圧から解放されて元の位置に戻るようになす。
【００３５】
図示の事例においては、略円筒状胴部３には第一押圧部７を相対向する位置に一対形成し、作用枠１３には該第一押圧部７に対応させて第二押圧部２１を一対形成している。
【００３６】
図４、図５に示す事例においては、略円筒状胴部３の第一押圧部７の内面には該略円筒状胴部３の内方に突出する傾斜部２５を形成し、作用枠１３を内側端方向（図４、図５における下方）に動かしたときに該作用枠１３の第二押圧部２１が該傾斜部２５を外方に押圧することにより、該略円筒状胴部３の第一押圧部７が徐々に外方に傾動するようにしている。
【００３７】
図３〜図５に示す事例においては、作用枠１３の第二押圧部２１の外面には複数の突条２７、２７・・・を形成し、各突条２７は該第二押圧部２１の弾性により略円筒状胴部３の外側端３ｂに係止することにより作用枠１３を略円筒状胴部３に固定するようにしている。
【００３８】
また、略円筒状胴部３の第一押圧部７の外面には突起２９、２９・・・を形成することが望ましい。
【００３９】
符号３１に示すものはロール状フィルムである。図７に示すロール状フィルム３１は紙管３３を備えている。図８に示すロール状フィルム３１は紙管３３を備えていない。符号３５に示すものはロール状フィルム３１の中心孔である。
【００４０】
図６における符号３７に示すものは本発明によるものとは異なるフィルムホルダーである。
【００４１】
【発明の効果】
［請求項１の発明］
請求項１の発明によれば、把持杆を手に持って略円筒状胴部をロール状フィルムの紙管又は中心孔の端に挿入し、作用枠を内側端方向に押し込んだときには、該作用枠の第二押圧部が略円筒状胴部の第一押圧部を外方に押圧して傾動させるため、該第一押圧部はロール状フィルムの紙管又は中心孔の内面に圧接し、略円筒状胴部を該紙管又は中心孔の内面に固定する。
【００４２】
従って、紙管を備えていないロール状フィルムの中心孔に略円筒状胴部を挿入したときでも、該略円筒状胴部は該中心孔の内面に確実に固定される。
【００４３】
略円筒状胴部はロール状フィルムの紙管又は中心孔の内面に固定されており、該略円筒状胴部は把持杆に対し回転不能であるから、把持杆を引っ張ってもロール状フィルムは回転しない。従って、作業員は回転杆に代えて把持杆を把持した状態でロール状フィルムを引っ張ることにより、商品の集積物に対するフィルムの巻き付けに緊張力を与えることができる。即ち、ロール状フィルム自体を手で引っ張る必要はない。
【００４４】
［請求項２の発明］
略円筒状胴部には第一押圧部を相対向する位置に一対形成しているため、該第一押圧部はロール状フィルムの紙管又は中心孔の内面に好ましく圧接し、略円筒状胴部を該紙管又は中心孔の内面に好ましく固定する。また、作用枠には該第一押圧部に対応させて第二押圧部を一対形成しているため、フィルムホルダーをロール状フィルムの紙管又は中心孔の端から取り外す際に、これら一対の第二押圧部を例えば親指と人差し指又は中指とにより摘むことにより極めて容易に内方に傾動させることができる。
【００４５】
［請求項３の発明］
作用枠を内側端方向に動かしたときに該作用枠の第二押圧部が略円筒状胴部における第一押圧部内面の傾斜部を外方に押圧することにより、該略円筒状胴部の第一押圧部が徐々に外方に傾動するようにしたため、紙管を備えていないロール状フィルムの残量が少なくなり、該ロール状フィルムの中心孔が拡径したような場合でも、作用枠を内側端方向に動かすことにより略円筒状胴部を確実に該ロール状フィルムの中心孔に固定することができる。
【００４６】
［請求項４の発明］
作用枠の第二押圧部の外面には複数の突条を形成し、各突条は略円筒状胴部の外側端に係止することにより該作用枠を該略円筒状胴部に固定するようにしたため、作用枠を該略円筒状胴部に対し所望の位置に固定することができる。換言すれば、ロール状フィルムの中心孔内面に対する略円筒状胴部の第一押圧部による押圧を所望の状態に固定することができる。
【００４７】
［請求項５の発明］
略円筒状胴部の第一押圧部の外面に形成された突起は該第一押圧部がロール状フィルムの紙管又は中心孔の内面に対して滑ることを防止する。
【図面の簡単な説明】
【図１】本発明によるフィルムホルダーの一例を示す斜視図である。
【図２】把持杆と略円筒状胴部とを示す斜視図である。
【図３】作用枠の一例を示す斜視図である。
【図４】同上フィルムホルダーをロール状フィルムの中心孔に挿入しつつある状態を示す断面図である。
【図５】同上フィルムホルダーをロール状フィルムの中心孔に固定した状態を示す断面図である。
【図６】ロール状フィルムの両端にフィルムホルダーを取り付けた状態を示す正面図である。
【図７】ロール状フィルムの一例を示す斜視図である。
【図８】ロール状フィルムの別の一例を示す斜視図である。
【符号の説明】
１　把持杆
１ａ　　外側端
３　略円筒状胴部
３ａ　　内側端
３ｂ　外側端
５　切り込み
７　第一押圧部
７ａ　　外側端
１１　回転杆
１３　作用枠
１３ａ　　外側端
１５　連結部
１７　挿通孔
１９　切り込み
２１　第二押圧部
２１ａ　内側端
２５　傾斜部
２７　突条
２９　突起
３１　ロール状フィルム
３３　紙管
３５　中心孔
３７　フィルムホルダー
【図１】
2004083178.tif 000003
【図２】
2004083178.tif 000004
【図３】
2004083178.tif 000005
【図４】
2004083178.tif 000006
【図５】
2004083178.tif 000007
【図６】
2004083178.tif 000008
【図７】
2004083178.tif 000009
【図８】
2004083178.tif 000010